(57)【要約】【課題】管理者等の要望に反する操作キーの表示状態のカスタマイズを防止することができる画像処理装置等を提供する。【解決手段】ユーザの操作に基づいて、ユーザ毎に、表示手段１４２の表示画面における操作キーの表示状態を、初期の表示状態から変更するカスタマイズ手段１１と、カスタマイズ手段による操作キーの表示状態の初期の表示状態からの変更が禁止される内容を設定する設定手段１１を備える。前記カスタマイズ手段１１は、ユーザの操作に基づく操作キーの初期の表示状態からの変更が、前記設定手段１１により設定された内容に該当するときは前記変更を禁止する。【選択図】図７
2011084019.tif 000002
【特許請求の範囲】
【請求項１】
ユーザによって操作される１個または複数個の操作キーが表示された表示画面を表示可能な表示手段と、
ユーザの操作に基づいて、ユーザ毎に、前記表示画面における操作キーの表示状態を、初期の表示状態から変更するカスタマイズ手段と、
前記カスタマイズ手段による操作キーの表示状態の初期の表示状態からの変更が禁止される内容を設定する設定手段と、
を備え、
前記カスタマイズ手段は、ユーザの操作に基づく操作キーの初期の表示状態からの変更が、前記設定手段により設定された内容に該当するときは前記変更を禁止することを特徴とする画像処理装置。
【請求項２】
所定のユーザであることを識別する識別手段を備え、
前記設定手段は、前記識別手段により所定のユーザであることが識別された場合に、前記禁止される内容を設定する請求項１に記載の画像処理装置。
【請求項３】
前記設定手段により設定される内容は操作キーの非表示への変更である請求項１または２に記載の画像処理装置。
【請求項４】
前記設定手段により設定される内容は操作キーの名称表示の変更である請求項１〜３のいずれかに記載の画像処理装置。
【請求項５】
前記設定手段により設定される内容は操作キーの表示画面における表示位置の変更である請求項１〜４のいずれかに記載の画像処理装置。
【請求項６】
前記設定手段により設定される内容は、押下されたときに別画面に遷移させる操作キーの他画面への配置変更である請求項１〜５のいずれかに記載の画像処理装置。
【請求項７】
複数の操作キーを関連付ける関連付け手段を備え、
前記カスタマイズ手段は、前記関連付けられた複数の操作キーのうちのいずれかの操作キーの表示状態の変更を禁止するときは、該操作キーに関連付けられた他の操作キーの表示状態の変更も禁止する請求項１〜６のいずれかに記載の画像処理装置。
【請求項８】
前記設定手段により変更が禁止される内容が設定されたときに、前記カスタマイズ手段は、既に初期状態から変更され前記登録された内容に該当する操作キーの表示状態の変更を一括して取り消す請求項１〜７のいずれかに記載の画像処理装置。
【請求項９】
ユーザによって操作される１個または複数個の操作キーが表示された表示画面を表示手段に表示する表示ステップと、
ユーザの操作に基づいて、ユーザ毎に、前記表示画面における操作キーの表示状態を、初期の表示状態から変更するカスタマイズステップと、
前記カスタマイズステップにおける操作キーの表示状態の初期の表示状態からの変更が禁止される内容を設定する設定ステップと、
を備え、
前記カスタマイズステップでは、ユーザの操作に基づく操作キーの初期の表示状態からの変更が、前記設定ステップにおいて設定された内容に該当するときは前記変更を禁止することを特徴とする画像処理装置における操作キーの表示カスタマイズ方法。
【請求項１０】
ユーザによって操作される１個または複数個の操作キーが表示された表示画面を表示手段に表示する表示ステップと、
ユーザの操作に基づいて、ユーザ毎に、前記表示画面における操作キーの表示状態を、初期の表示状態から変更するカスタマイズステップと、
前記カスタマイズステップにおける操作キーの表示状態の初期の表示状態からの変更が禁止される内容を設定する設定ステップと、
を画像処理装置のコンピュータに実行させ、
前記カスタマイズステップでは、ユーザの操作に基づく操作キーの初期の表示状態からの変更が、前記設定ステップにおいて設定された内容に該当するときは前記変更を禁止する処理をコンピュータに実行させる画像処理装置における操作キーの表示カスタマイズプログラム。
【発明の詳細な説明】
【技術分野】
【０００１】
この発明は、操作パネル部等の表示手段に表示され、動作モードを設定するための複数の動作モード設定キー等の操作キーの表示画面における表示状態を、ユーザが初期状態から変更してカスタマイズ可能な画像形成装置等の画像処理装置、同装置における操作キーの表示カスタマイズ方法及びカスタマイズプログラムに関する。
【背景技術】
【０００２】
近年、ＭＦＰ（Multi Function Peripherals）と称される多機能デジタル画像形成装置等の画像処理装置では、多くの機能が搭載されている。このような画像処理装置では、これら機能の動作モードを設定するための各動作モード設定キー等の操作キーを、操作パネル部の動作モード設定画面等の表示画面上に表示し、ユーザが所望の機能を使用する場合には、対応する動作モード設定画面を表示し、画面上に表示された操作キーを選択する等して、動作モード等の設定操作を行うものとなされている。
【０００３】
ユーザの多くは、画像形成装置に搭載された多くの機能の中で基本機能のみを使用するか、あるいは装置を利用する環境やユーザの業務に応じて利用する機能はある程度決まっている。しかし、操作パネル部の表示画面に表示される操作キーが多いと、利用したい目的の機能のキーと不必要な機能のキーとが混在して、それらが分かりにくかったり、目的の機能を操作するための操作手順が多くなってしまうといった問題がある。
【０００４】
そこで、利用形態が異なるユーザに対応し、ユーザの利用環境に応じて操作キーの表示位置や表示文字列、表示色を変更して、画面上の操作キーの表示状態をユーザ毎にカスタマイズできる技術が提供されている（例えば特許文献１、２参照）。
【０００５】
また、ユーザがよく利用する機能に対応した操作キーをトップ画面等に集約して画面をカスタマイズする技術も提供されている（例えば特許文献３参照）。
【先行技術文献】
【特許文献】
【０００６】
【特許文献１】特開２００２−３６１９８６号公報
【特許文献２】特開２００７−２４９８６３号公報
【特許文献３】特開２００６−５９１０号公報
【発明の概要】
【発明が解決しようとする課題】
【０００７】
ところが、従来のカスタマイズ技術では、各ユーザが任意に自己の好みの画面にカスタマイズできるため、次のような問題があった。
【０００８】
すなわち、例えば、費用節約のために会社あるいは部門等の方針でカラー印刷の制限を行いたい場合であっても、ユーザがカラー印刷を指定するための操作キー以外のキーを非表示に変更したり、印刷を指定するための操作キーをトップ画面に配置するというようなカスタマイズが可能であり、管理者等の要望に反するカスタマイズがなされてしまうという問題があった。
【０００９】
この発明は、上記実情に鑑みてなされたものであり、管理者等の要望に反して操作キーの表示状態が初期の表示状態から変更されるのを防止することができる画像処理装置、同装置における操作キーの表示カスタマイズ方法を提供し、さらには前記方法を画像処理装置のコンピュータに実行させるためのカスタマイズプログラムを提供することを課題としている。
【課題を解決するための手段】
【００１０】
上記課題は、以下の手段によって解決される。
（１）ユーザによって操作される１個または複数個の操作キーが表示された表示画面を表示可能な表示手段と、ユーザの操作に基づいて、ユーザ毎に、前記表示画面における操作キーの表示状態を、初期の表示状態から変更するカスタマイズ手段と、前記カスタマイズ手段による操作キーの表示状態の初期の表示状態からの変更が禁止される内容を設定する設定手段と、を備え、前記カスタマイズ手段は、ユーザの操作に基づく操作キーの初期の表示状態からの変更が、前記設定手段により設定された内容に該当するときは前記変更を禁止することを特徴とする画像処理装置。
（２）所定のユーザであることを識別する識別手段を備え、前記設定手段は、前記識別手段により所定のユーザであることが識別された場合に、前記禁止される内容を設定する前項１に記載の画像処理装置。
（３）前記設定手段により設定される内容は操作キーの非表示への変更である前項１または２に記載の画像処理装置。
（４）前記設定手段により設定される内容は操作キーの名称表示の変更である前項１〜３のいずれかに記載の画像処理装置。
（５）前記設定手段により設定される内容は操作キーの表示画面における表示位置の変更である前項１〜４のいずれかに記載の画像処理装置。
（６）前記設定手段により設定される内容は、押下されたときに別画面に遷移させる操作キーの他画面への配置変更である前項１〜５のいずれかに記載の画像処理装置。
（７）複数の操作キーを関連付ける関連付け手段を備え、前記カスタマイズ手段は、前記関連付けられた複数の操作キーのうちのいずれかの操作キーの表示状態の変更を禁止するときは、該操作キーに関連付けられた他の操作キーの表示状態の変更も禁止する前項１〜６のいずれかに記載の画像処理装置。
（８）前記設定手段により変更が禁止される内容が設定されたときに、前記カスタマイズ手段は、既に初期状態から変更され前記登録された内容に該当する操作キーの表示状態の変更を一括して取り消す前項１〜７のいずれかに記載の画像処理装置。
（９）ユーザによって操作される１個または複数個の操作キーが表示された表示画面を表示手段に表示する表示ステップと、ユーザの操作に基づいて、ユーザ毎に、前記表示画面における操作キーの表示状態を、初期の表示状態から変更するカスタマイズステップと、前記カスタマイズステップにおける操作キーの表示状態の初期の表示状態からの変更が禁止される内容を設定する設定ステップと、を備え、前記カスタマイズステップでは、ユーザの操作に基づく操作キーの初期の表示状態からの変更が、前記設定ステップにおいて設定された内容に該当するときは前記変更を禁止することを特徴とする画像処理装置における操作キーの表示カスタマイズ方法。
（１０）ユーザによって操作される１個または複数個の操作キーが表示された表示画面を表示手段に表示する表示ステップと、ユーザの操作に基づいて、ユーザ毎に、前記表示画面における操作キーの表示状態を、初期の表示状態から変更するカスタマイズステップと、前記カスタマイズステップにおける操作キーの表示状態の初期の表示状態からの変更が禁止される内容を設定する設定ステップと、を画像処理装置のコンピュータに実行させ、前記カスタマイズステップでは、ユーザの操作に基づく操作キーの初期の表示状態からの変更が、前記設定ステップにおいて設定された内容に該当するときは前記変更を禁止する処理をコンピュータに実行させる画像処理装置における操作キーの表示カスタマイズプログラム。
【発明の効果】
【００１１】
前項（１）に記載の発明によれば、カスタマイズ手段による操作キーの表示状態の初期の表示状態からの変更が禁止される内容が設定手段により設定されるとともに、ユーザの操作に基づく操作キーの初期の表示状態からの変更が、前記設定手段により設定された内容に該当するときは前記変更が禁止されるから、管理者等は、操作キーの表示状態の変更を禁止したい内容を予め設定しておくことにより、一般ユーザが管理者等の要望に反して操作キーの表示を勝手にカスタマイズする不都合を防止することができる。
【００１２】
前項（２）に記載の発明によれば、識別手段により所定のユーザであることが識別された場合に、表示状態の変更が禁止される内容の設定が可能となるから、管理者等の特定のユーザに対してのみ前記禁止される内容の設定を許可することができる。
【００１３】
前項（３）に記載の発明によれば、操作キーを非表示へ変更するカスタマイズを禁止することができる。
【００１４】
前項（４）に記載の発明によれば、操作キーの名称表示を変更するカスタマイズを禁止することができる。
【００１５】
前項（５）に記載の発明によれば、操作キーの表示画面における表示位置を変更するカスタマイズを禁止することができる。
【００１６】
前項（６）に記載の発明によれば、押下されたときに別画面に遷移させる操作キーの他画面への配置を変更するカスタマイズを禁止することができる。
【００１７】
前項（７）に記載の発明によれば、関連付けられた複数の操作キーのうちのいずれかの操作キーの表示状態の変更が禁止されるときは、該操作キーに関連付けられた他の操作キーの表示状態の変更も禁止されるから、１つの操作キーについて、初期の表示状態からの変更が禁止される内容を設定しておけば、関連付けられた他の操作キーについては設定しておかなくても初期の表示状態からの変更が禁止され、操作性が良くなる。
【００１８】
前項（８）に記載の発明によれば、変更が禁止される内容が設定されたときには、既にカスタマイズされ前記設定された内容に該当する操作キーの表示状態の変更が一括して取り消されるから、管理者等が事後的に所定の表示状態を変更するカスタマイズを禁止したい場合に、各ユーザがカスタマイズの取消操作を行う手間を必要とすることなく、初期の表示状態に復元させることができる。
【００１９】
前項（９）に記載の発明によれば、管理者等は、操作キーの表示状態の変更を禁止したい内容を予め設定しておくことにより、一般ユーザが管理者等の要望に反して操作キーの表示を勝手にカスタマイズする不都合を防止することができる。
【００２０】
前項（１０）に記載の発明によれば、ユーザの操作に基づく操作キーの初期の表示状態からの変更が、設定ステップにおいて設定された内容に該当するときは変更を禁止する処理を画像処理装置のコンピュータに実行させることができる。
【図面の簡単な説明】
【００２１】
【図１】この発明の一実施形態に係る画像処理であるＭＦＰの電気的構成を示すブロック図である。
【図２】ユーザが操作パネルの表示部に表示される操作キーの表示状態をカスタマイズするときの設定画面の一例を示す図である。
【図３】図２の設定画面において「カラー」キーを非表示に設定したときの画面を示す図である。
【図４】図３の設定がなされたときの基本設定画面を示す図である。
【図５】カスタマイズの禁止設定を行うときの設定画面を示す図である。
【図６】図５の設定画面において「カラー」キーの非表示への変更を禁止する設定を行ったときの画面を示す図である。
【図７】カスタマイズ禁止設定時のＭＦＰの動作を示すフローチャートである。
【図８】ユーザがカスタマイズする操作キーの表示状態の変更が、禁止設定の内容に該当するときのＭＦＰの動作を示すフローチャートである。
【発明を実施するための形態】
【００２２】
以下、この発明の一実施形態を図面に基づいて説明する。
【００２３】
図１は、この発明の一実施形態に係る画像処理装置としての前述した多機能デジタル画像形成装置（以下、ＭＦＰともいう）１の電気的構成を示すブロック図である。
【００２４】
図１において、このＭＦＰ１は、ＣＰＵ１１と、ＲＯＭ１２と、記憶部１３と、操作パネル部１４と、スキャナ部１５と、プリンタ部１６と、給紙部１７等を備えており、これらはバス１８により互いに接続されている。
【００２５】
前記ＣＰＵ１１は、ＭＦＰ１の全体動作を統括的に制御するものであるが、特にこの実施形態では、後述する操作パネル部１４の表示部１４２の動作モード設定画面等の表示画面に表示される複数の操作キーの中の少なくとも１つの操作キーについて、ユーザが該操作キーの表示状態を初期の表示状態から変更してカスタマイズできるカスタマイズ機能や、操作キーの表示状態の変更に対してユーザによるカスタマイズを禁止する内容を設定したり、設定された表示状態の変更内容に該当する変更がユーザによって行われようとしたときに、その変更を禁止したり、カスタマイズを禁止する表示状態の変更内容が設定されたときに、既にカスタマイズされ前記設定された内容に該当する操作キーの表示状態の変更を一括して取り消す等の制御を行う。
【００２６】
また、ＣＰＵ１１は、ＭＦＰ１にログインするユーザを識別し認証する機能も有している。
【００２７】
前記ＲＯＭ１２はＣＰＵ１１の動作プログラム等を記憶するメモリである。
【００２８】
前記記憶部１３は、ＲＡＭやハードディスク装置（ＨＤＤ）等からなる。この記憶部１３には、ユーザの認証を行うためのユーザ情報や、操作キーの表示状態の初期状態からの変更内容を示すカスタマイズ情報が、ユーザ毎に記憶されている。
【００２９】
さらに、記憶部１３には、ユーザによるカスタマイズを禁止する操作キーの表示状態の変更内容も記憶されている。
【００３０】
前記操作パネル部１４は、ユーザが入力操作等に用いるものであり、テンキー、スタートキー、ストップキー等のハードキーを有するキー入力部１４１と、表示部１４２とを備えている。この表示部１４２は、例えば後述する動作モード設定画面などの各種表示画面、装置の状態、メッセージ等を表示するものであり、タッチパネル式の液晶等からなる。
【００３１】
前記スキャナ部１５は、原稿画像を読み取って電子データである画像データに変換するものである。
【００３２】
前記プリンタ部１６は、スキャナ部１５で読み取られた原稿の画像データや、ユーザ端末等の外部機器から送信されてきた画像データ等をプリントするものである。
【００３３】
前記給紙部１７は、前記プリンタ部１６で画像データをプリントされる用紙をプリンタ部１６に給紙するものである。
【００３４】
図２は、ユーザが操作パネル部１４の表示部１４２に表示される操作キーの表示状態をカスタマイズ登録するときの操作画面の一例である。
【００３５】
ユーザはＭＦＰ１へログインした後、画面外の「カスタマイズ」キーを押下することで、ＭＦＰ１はカスタマイズモードとなり、図２に示す画面が表示される。このカスタマイズモードでは、ユーザは、操作画面内の操作キーの表示を初期表示状態から自分用に変更して登録することができる。
【００３６】
図２は、「基本設定」キーが押されたときの基本設定画面を示し、画面に太枠で表示された「基本設定」「原稿指定」「画質／濃度」「応用設定」「カラー」「用紙」「倍率」「両面／ページ集約」「仕上り」「連続読込み設定」「ページ編集」「画像の収め方」という名称の各操作キーの表示状態を変更可能となされている。
【００３７】
また、図２の画面の左表示エリアには、操作キーの表示状態の変更内容（カスタマイズ内容ともいう）を指定するための指定キーが表示されている。この例では、指定キーとして「非表示」「名称変更」「位置変更」「ショートカット」の各指定キーが表示されており、初期表示状態から各指定キーで示される表示状態への変更が可能となっている。
【００３８】
「非表示」キーは、操作キーを非表示に変更するためのキーであり、「名称変更」キーは操作キーの名称を初期状態から変更表示するためのキーであり、「位置変更」キーは操作キーの表示位置を初期状態から変更するためのキーであり、「ショートカット」キーは、押下されたときに別画面に遷移させる操作キーを、前記別画面やその他の画面へ配置変更するためのキーである。なお、表示状態の初期状態からの変更内容は、これらに限定されることはない。
【００３９】
カスタマイズの方法は具体的には次のようにして行われる。即ち、ユーザが指定キーのうちのいずれかを選択したのち、変更可能な前記操作キーのうちの少なくともいずれかを選択することにより行われる。例えば、左表示エリアの「非表示」キーを選択後、「カラー」キーを押下（タッチ）すると、図３に示すように、「カラー」キーが枠だけを残して非表示に変更され、カスタマイズされたことが示される。また、図示しない「カスタマイズ」キーを押下することで、最終的に、「カラー」キーが非表示に変更されたことが、そのユーザのカスタマイズ情報として記憶部１３に登録される。従って、カスタマイズ後にそのユーザにより「基本設定」キーが操作されたときの基本設定画面では、図４に示すように「カラー」キーは非表示となる。
【００４０】
なお、図３の画面において、左表示エリアの「非表示」キーを選択後、非表示となった「カラー」キーの枠内を押下することにより、「カラー」キーを初期の表示状態に復元することができるようになっている。
【００４１】
この実施形態では、管理者等の特定のユーザが、操作キーの表示状態の初期の表示状態からの変更が禁止される内容を設定できるものとなされている。換言すれば、操作キーの特定の表示状態の変更については、一般ユーザによるカスタマイズの禁止を設定できるものとなされている。
【００４２】
即ち、管理者等の特定のユーザがＭＦＰ１にログインすると、ＭＦＰ１は特定のユーザであることを識別し、カスタマイズ禁止設定を許可する。具体的には、管理者モードにログインした管理者等が図示しない「カスタマイズ」キーを押下すると、ＭＦＰ１はカスタマイズ禁止設定モードに移行し、図５に示すカスタマイズ禁止設定画面が表示部１４２に表示される。
【００４３】
管理者等が図５の画面において、例えば「カラー」キーを非表示とすることを禁止したい場合、左表示エリアの変更禁止指定キーの中から「非表示キー」を選択した後、「カラー」キーを押下（タッチ）すると、図６に示す画面に遷移する。図６の画面では、「カラー」キーと「非表示」キーが選択されていることが表示形態を変更することにより示されている。図６では太枠で表示されている。なお、左表示エリアの変更禁止指定キーは複数個同時に選択することが可能となされている。
【００４４】
上記操作に続けて、「用紙」キーを非表示にしたい場合には、「用紙」キーを押下する。このとき、「カラー」キーが選択されていることの表示（太枠）が消え、「用紙」キーが選択されていることが太枠等で表示される。この状態で、左表示エリアの変更禁止指定キーは何も選択されていないが、「非表示」キーを押下すると「非表示」キーが選択されたことが太枠等で表示される。こうして、一般ユーザによる操作キーの表示状態の変更禁止の内容が設定される。
【００４５】
図示しない「カスタマイズ」キーを押すことで、前記変更禁止の内容が記憶部１３に登録され確定される。
【００４６】
なお、変更禁止指定キーとして、この実施形態では、「非表示」「名称変更」「位置変更」「ショートカット」の各指定キーが表示されている。「非表示」キーは、操作キーを非表示に変更するのを禁止するためのキーであり、「名称変更」キーは操作キーの名称変更を禁止するためのキーであり、「位置変更」キーは操作キーの表示位置の変更を禁止するためのキーであり、「ショートカット」指定キーは、押下されたときに別画面に遷移させる操作キーを、前記別画面やその他の画面へ配置変更するのを禁止するためのキーである。なお、変更禁止の内容は、これらに限定されることはない。
【００４７】
このような操作キーの表示状態の変更禁止が設定された状態で、管理者以外の一般ユーザが「カスタマイズ」キーを押してカスタマイズモードに入ったときに、図２に示したカスタマイズモード設定画面において、変更禁止が設定された内容のカスタマイズはできないことを警告表示しても良い。警告は予め表示されていても良いし、あるいは図２の画面において「非表示」キーを選択後、「カラー」キーを押下したタイミングで、警告が表示される構成であっても良い。
【００４８】
図７は、カスタマイズ禁止設定時のＭＦＰ１の動作を示すフローチャートである。この動作は、ＣＰＵ１１がＲＯＭ１２等の記録媒体に記録されたプログラムに従って動作することにより実行される。
【００４９】
図７のステップＳ２０１において、管理者モードにおいて「カスタマイズ」キーが押下されたかどうかを判断する。押下されなければ（ステップＳ２０１でＮＯ）、処理を終了する。押下されると（ステップＳ２０１でＹＥＳ）、ステップＳ２０２で、カスタマイズ禁止設定モードに移行し、図５に示す禁止設定画面を表示部１４２に表示する。
【００５０】
次に、ステップＳ２０３で、画面の左表示エリアの変更禁止指定キーが選択されたかどうかを判断し、選択されなければ（ステップＳ２０３でＮＯ）、ステップＳ２０９に進む。選択されると（ステップＳ２０３でＹＥＳ）、ステップＳ２０４に進む。
【００５１】
ステップＳ２０９では、ユーザにより操作キーが選択されたかどうかが判断され、選択されなければ（ステップＳ２０９でＮＯ）、ステップＳ２０６に進む。選択されると（ステップＳ２０９でＹＥＳ）、ステップＳ２１０で、選択された操作キーを一時記憶して操作キー選択済みとしたのち、ステップＳ２０６に進む。
【００５２】
一方、前記ステップＳ２０４では、操作キー選択済みの状態（ステップＳ２１０）であるかどうかが判断され、操作キー選択済みの状態であれば（ステップＳ２０４でＹＥＳ）、ステップＳ２０５で、選択済みの操作キーに対してステップＳ２０３で選択された左表示エリアの変更禁止指定キーで指定された内容のカスタマイズの禁止を設定したのち、ステップＳ２０６に進む。
【００５３】
ステップＳ２０４において、操作キー選択済みの状態でなければ（ステップＳ２０４でＮＯ）、ステップＳ２０７に進み操作キーが選択されたかどうかを判断する。選択されると（ステップＳ２０７でＹＥＳ）、ステップＳ２０８で、選択された操作キーに対してステップＳ２０３で選択された左表示エリアの変更禁止指定キーで指定された内容のカスタマイズの禁止を設定したのち、ステップＳ２０６に進む。操作キーが選択されなければ（ステップＳ２０７でＮＯ）、そのままステップＳ２０６に進む。
【００５４】
ステップＳ２０６では、「カスタマイズ」キーが押下されたかどうかが判断され、押下されなければ（ステップＳ２０６でＮＯ）、ステップＳ２０２に戻る。押下されると（ステップＳ２０６でＹＥＳ）、前記カスタマイズの禁止設定が有効となり、処理を終了する。
【００５５】
図８は、ユーザがカスタマイズする操作キーの表示状態の変更が、禁止設定の内容に該当するときのＭＦＰ１の動作を示すフローチャートである。この動作も、ＣＰＵ１１がＲＯＭ１２等の記録媒体に記録されたプログラムに従って動作することにより実行される。
【００５６】
ステップＳ３０１では、カスタマイズモードにおいて、カスタマイズの禁止設定がなされているかどうかを判断する。禁止設定がなされていれば（ステップＳ３０１でＹＥＳ）、ステップＳ３０２で、禁止設定された内容に該当するカスタマイズを禁止する。禁止設定がなされていなければ（ステップＳ３０１でＮＯ）、処理を終了する。この場合は、カスタマイズが許可される。
【００５７】
このように、操作キーの表示状態の初期の表示状態からの変更が禁止される内容が設定されるとともに、ユーザの操作に基づく操作キーの初期の表示状態からの変更が、前記設定された内容に該当するときは前記変更が禁止されるから、管理者等は、操作キーの表示状態の変更を禁止したい内容を予め設定しておくことにより、一般ユーザが管理者等の要望に反して操作キーの表示状態を勝手にカスタマイズする不都合を防止することができる。
【００５８】
以上の実施形態では、１個の操作キー毎にカスタマイズ禁止の設定を行う場合を説明したが、複数の操作キーを予め関連付けて記憶部１３に記憶しておき、関連付けられた操作キーのうちのいずれかについてカスタマイズの禁止設定がなされたときは、その操作キーに関連付けられた他の操作キーについても、同様のカスタマイズの禁止が設定される構成としても良い。
【００５９】
例えば「カラー」キーに相当する操作キーは、コピー設定画面だけでなくスキャン／ファクスの設定画面にも表示される。そこで、「カラー」キーに相当する操作キーは、予めＭＦＰ１内でカスタマイズ禁止設定が連動するよう、管理付けて管理する。これにより、管理者が例えばコピー設定画面での「カラー」キーの非表示への変更禁止を設定すると、スキャン／ファクス設定画面における「カラー」キーについても、非表示への変更が禁止される。
【００６０】
予めＭＦＰ１内で関連付けられて管理されるのは、同等機能の操作キーだけでなく、他の任意の操作キーであって良い。例えば費用削減関連の操作キーとして、「モノクロ」「両面」「４ｉｎ１」（４ｉｎ１とは４枚の原稿を１枚の用紙に集約してプリントするモード）の３つの操作キーのうち、ひとつをカスタマイズ禁止にすることで、前記３つの操作キーを同時にカスタマイズ禁止にしてもよい。これは、「モノクロ」「両面」「４ｉｎ１」の各モードでのコピーやプリントが会社、部門等で推奨されているような場合に、これらの操作キーが例えば非表示にカスタマイズされていると、「カラー」「片面」「１ｉｎ１」の各モードで動作させざるを得なくなることから、これを防止できる点で有効である。
【００６１】
また、管理者モードの表示画面の「Ｓ／ＭＩＭＥ」送信における「する」キーを非表示へ変更することを禁止する設定が行われたセキュリティ送信関連の操作キーとして、一般ユーザの操作画面の「Ｓ／ＭＩＭＥ」送信における「暗号化」「署名」の各キーを非表示に変更できないよう、これらの操作キーを関連付けておいても良い。
【００６２】
このように、関連付けられた複数の操作キーのうちのいずれかの操作キーの表示状態の変更が禁止されるときは、該操作キーに関連付けられた他の操作キーの表示状態の変更も禁止されるから、１つの操作キーについて、初期の表示状態からの変更が禁止される内容を設定しておけば、関連付けられた他の操作キーについては設定しておかなくても初期の表示状態からの変更が禁止され、管理者等の手間が省け操作性の良いものとなる。
【００６３】
なお、このような複数の操作キーが関連付けられている状態で、カスタマイズ禁止設定モードにおいて、関連付けられた操作キーの中のいずれかの操作キーについて禁止設定がなされるときのＭＦＰ１の動作は次のようになる。即ち、図７のフローチャートのステップＳ２０５及びステップＳ２０８において、選択済みのまたは選択された操作キーに対してステップＳ２０３で選択された左表示エリアの変更禁止指定キーで指定された内容のカスタマイズの禁止を設定するとともに、関連付けられた他の操作キーについても、同様の内容のカスタマイズの禁止を設定すればよい。
【００６４】
また、いずれかの操作キーについて変更が禁止される内容が設定されたときには、既にカスタマイズされた操作キーの表示状態の変更のうち、前記設定された内容に該当する表示状態の変更が一括して取り消される構成としても良い。
【００６５】
例えば、既にユーザが「カラー」キーを非表示にカスタマイズしていた場合において、管理者等が「カラー」キーの非表示への変更を禁止に設定した場合、前記既に設定されていた「カラー」キーの非表示へのカスタマイズが取り消される。
【００６６】
このような構成とすることで、管理者等が事後的に所定の表示状態を変更するカスタマイズを禁止したい場合に、各ユーザがカスタマイズの取消操作を行う手間を必要とすることなく、初期の表示状態に復元させることができる。
【００６７】
なお、いずれかの操作キーについて変更が禁止される内容が設定されたときに、既にカスタマイズされ前記設定された内容に該当する操作キーの表示状態の変更が一括して取り消される構成となされている場合のＭＦＰ１の動作は次のようになる。即ち、図７のフローチャートのステップＳ２０５及びステップＳ２０８の実行後、既に禁止設定と同一の内容のカスタマイズがなされているかどうかを判断するステップと、なされていればそれを取り消すステップを実行すればよい。
【符号の説明】
【００６８】
１      ＭＦＰ（画像処理装置）
１１    ＣＰＵ
１２    ＲＯＭ
１３    記憶部
１４    操作パネル部
１４２  表示部
【図１】
2011084019.tif 000003
【図２】
2011084019.tif 000004
【図３】
2011084019.tif 000005
【図４】
2011084019.tif 000006
【図５】
2011084019.tif 000007
【図６】
2011084019.tif 000008
【図７】
2011084019.tif 000009
【図８】
2011084019.tif 000010